(57)【特許請求の範囲】
【請求項１】
プーリ（１２，９２）を有するワイヤ鋸装置のプーリ装置であって、このプーリ装置には、前記プーリ（１２，９２）を少なくとも部分的に包囲する固定式の防護カバー（１３，９３）と、少なくとも１個のカバー素子（２３，１０２，１０３）とを備え、このカバー素子（２３，１０２，１０３）は、前記プーリ（１２，９２）の回転軸（１５，９５）から半径方向に離して設けた走行路に沿って移動可能とした該プーリ装置において、
前記カバー素子（２３，１０２，１０３）を、前記防護カバー（１３，９３）に対して回動可能に配置し、かつ、前記プーリ（１２，９２）の回転軸（１５，９５）に回動可能に取り付けたことを特徴とするプーリ装置。
【請求項２】
請求項１に記載のプーリ装置において、前記カバー素子（２３）を、前記防護カバー（１３）に対して所望の調整位置で固定する固定装置（４１）を設けたプーリ装置。
【請求項３】
請求項２記載のプーリ装置において、前記固定装置（４１）にばね素子（４３）を設けたプーリ装置。
【請求項４】
請求項１〜３のうちいずれか一項に記載のプーリ装置において、前記カバー素子（２３）を前記防護カバー（１３）に対してガイドするために、前記カバー素子（２３）のためのガイド装置（３１）を設けたプーリ装置。
【請求項５】
請求項４記載のプーリ装置において、前記ガイド装置（３１）を、長孔（３２）および、この長孔（３２）内に配置したストッパ素子（３３）により構成したプーリ装置。
【請求項６】
請求項５記載のプーリ装置において、前記長孔（３２）を前記カバー素子（２３）に設け、前記ストッパ素子（３３）を前記防護カバー（１３）に設けたプーリ装置。
【請求項７】
請求項１〜６のうちいずれか一項に記載のプーリ装置において、前記プーリ（１２）の前記回転軸（１５）から半径方向に離して設けた前記カバー素子（２３）の壁部分（２５）における、その鋸ワイヤ（７）側の遊端（２６）の角を丸くしたプーリ装置。
【発明の詳細な説明】
【技術分野】
【０００１】
本発明は、プーリを有するワイヤ鋸装置のプーリ装置であって、プーリを少なくとも部分的に包囲する固定式の防護カバーと、少なくとも１個のカバー素子とを設け、このカバー素子は、プーリの回転軸から半径方向に離して設けた走行路に沿って移動可能としたプーリ装置に関するものである。
【０００２】
ワイヤ鋸装置は、例えば石ブロックなどの特に大きな切断すべき加工材を鋸引き切断するのに使用し、その鋸ワイヤは、例えば焼結ダイヤモンドビーズなどの切削材料を有し、ワイヤ鋸装置のモータ機構により駆動する。鋸ワイヤは、プーリを設けたプーリ装置を介して切断すべき加工材の周りに案内し、向きを調整する。鋸ワイヤに加わる応力に基づいて、鋸ワイヤは突然破断し、破断したワイヤがむちのように空中にはじけ飛ぶことがある。
【背景技術】
【０００３】
特許文献１（欧州登録特許第１５２８８５２号）に記載の、プーリを有する鋸装置のプーリ装置には、破断した鋸チェーンからの防護として、少なくとも部分的にプーリを包囲する固定式の防護カバーと、半径方向に延在する壁部分を備えたカバー素子を備える。この防護カバーおよびカバー素子には、連結手段を貫通案内するために、互いに噛みあう貫通案内開口を備える。この構成によりカバー素子は、プーリの回転軸から半径方向に離して設けた走行路に沿って移動可能とする。このようにして、カバー素子は、所定の軌跡において、転向される鋸チェーンの方向に応じて、固定式の防護カバーに固定される。
【０００４】
この従来技術において、カバー素子は、防護カバーに対して所定の軌跡においてのみ取り付けることができ、その位置決めの都度、カバー素子を取り外す必要があるため、カバー素子の固定にコストがかかり不都合である。
【特許文献１】欧州登録特許第１５２８８５２号明細書
【発明の開示】
【発明が解決しようとする課題】
【０００５】
したがって、本発明の課題は、ワイヤ破断時に鋸ワイヤから防護可能であり、製造簡単な、ワイヤ鋸装置のプーリ装置を得ることにある。
【課題を解決するための手段】
【０００６】
この課題は、独立請求項に記載する特徴により解決される。好適な実施形態は、従属請求項に記載される特徴により達成される。
【０００７】
本発明プーリ装置によれば、カバー素子を防護カバーに対して回動可能に配置する。
【発明の効果】
【０００８】
少なくとも１個設けるカバー素子は、回動軸の周りに回動可能とすることで、鋸ワイヤの延びる方向またはワイヤの転向角度に応じ、広範囲において、固定式の防護カバーに対しその方向を調整できる。例えば、鋸引き時に鋸ワイヤが破断すると、プーリの周囲でカバーされる領域が大きくなり、これにより、カバー素子が破断した鋸ワイヤがむちのように跳ね飛ぶのを抑止することができる。
【０００９】
さらに、このカバー素子は、特に半径方向に離して壁部分を設けた場合、鋸ワイヤの転向時に、鋸ワイヤに付着した汚れおよび水分が周囲に飛び散るのを防ぐ。
【発明を実施するための最良の形態】
【００１０】
好適には、防護カバーにも、プーリの回転軸から半径方向に離して壁部分を設ける。こうすることで、これらの壁部分は、部分的に重なり合うように配置され、互いにプーリの周囲を半径方向に大きくカバーする。さらに好適には、それぞれプーリの回転軸から、カバー素子の壁部分までの半径方向距離を、固定式の防護カバーの半径方向最大寸法よりも大きくする。こうすることで、カバー素子は、防護カバーの上方を通過して回動可能となる。
【００１１】
カバー素子をプーリの回転軸に回動可能に配置する。この構成により、カバー素子を少ない部品で簡単に取り付けることができる。
【００１２】
固定式の防護カバーに対するカバー素子の調整位置が意図せず変化しないように、好適には、カバー素子を防護カバーに対して所望の調整位置に固定するために、固定装置を設ける。好適には、固定装置は、クランプ力を付与された状態において、カバー素子および防護カバーをクランプし、しかもプーリの回転軸の周りにおける自由に回転できるようにする。
【００１３】
好適な実施形態において、固定装置には、例えば皿ばねとして構成し、少なくともカバー素子に対して摩擦作用を加えるばね素子を設ける。好適には、固定装置はプーリの回転軸領域に設ける。こうすることで、少ない構成要素で簡単に固定可能となる。
【００１４】
好適には、カバー素子を防護カバーにガイドするために、カバー素子のためのガイド装置を設ける。このガイド装置には、回動領域を限定するために、好適には２個のストッパを備え、これらの間で、カバー素子は防護カバーに対して任意の角度で固定できる。また、他の実施形態として、カバー素子のための固定装置もしくは付加的な他の固定装置をガイド装置の構成要素とし、好適には、これに適した固定装置が、同時にガイド装置のストッパ素子を構成する。
【００１５】
好適には、ガイド装置を、長孔および、この長孔に設けたストッパにより構成し、長孔の端部とストッパ素子とで、カバー素子の最大回動領域を画定する。長孔の端部がストッパ素子と衝合すると、カバー素子はそれ以上回動できない。
【００１６】
好適な実施形態において、長孔はカバー素子に、ストッパ素子は防護カバーに設ける。好適には、長孔の幅を一定とし、プーリの回転軸に対して半径方向に延在する円弧状の長手方向軸線に沿って延在させることで、カバー素子の回動領域の全体に対して、ストッパ素子と長孔との間に生ずる遊びが僅かにしか変化しない構造となる。ストッパ素子は、例えばプーリの防護カバーとは反対側に突出した、例えばボルトやピンなどの素子とする。
【００１７】
好適には、カバー素子の、プーリの回転軸から半径方向に離して設けた壁部分において、その鋸ワイヤ側の遊端の角を丸くすることで、この領域に鋭い遊端のエッジが無いようにする。この構成により、ワイヤが破断し、カバー素子の遊端と衝合しても、鋸ワイヤの損傷がより少なくてすむ。
以下に、図面につき本発明の好適な実施例を説明する。
基本的に、図面における同一部分には同一の参照符号を付して説明する。
【実施例１】
【００１８】
図１〜３には、支持素子６に固定した２個のプーリ１２を備えた、ワイヤ鋸装置のプーリ装置１１を示す。双方のプーリ１２はほぼ等しい構成とし、それぞれプーリ１２を部分的に包囲する、固定式の防護カバー１３を設ける。この防護カバー１３は、プーリ１２の回転軸１５に対して半径方向に離れて位置する壁部分１８を設け、プーリ１２に直交する断面で見てＵ字状断面を有する。防護カバー１３の脚部１４の遊端領域には、プーリ１２の回転軸１５の軸受をするための貫通案内開口を設ける。固定装置１６または１７によって、防護カバー１３を支持素子６に着脱可能に固定する。
【００１９】
さらに、各プーリ１２には、プーリ１２の回転軸１５から半径方向に離間して設けた壁部分２５を有するカバー素子２３を設け、このカバー素子２３は、防護カバー１３に対して回動可能に配置する。また、カバー素子２３は、プーリ１２の回転軸１５に対しても回動可能に取り付ける。カバー素子２３の、プーリ１２に直交する断面は同じくＵ字状であり、また、カバー素子２３の脚部２４の遊端領域には、それぞれプーリ１２の回転軸１５のための貫通案内開口を設ける。
【００２０】
プーリ１２の回転軸１５から半径方向に離して設けたカバー素子２３の壁部分２５までの半径方向距離は、回転軸１５から半径方向に離して設けた防護カバー１３の壁部分１８までの半径方向距離よりも大きくする。
【００２１】
カバー素子２３を防護カバー１３に対してガイドし、またその回動領域を限定するために、ガイド装置３１を設け、このガイド装置３１は、カバー素子２３の脚部２４に配置した、プーリ１２の回転軸１５から一定距離離間して円弧状に延在する長孔３２と、防護カバー１３の脚部１４から突出させ、長孔３２内に配置したストッパ素子３３とにより構成する。
【００２２】
さらに、プーリ１２の回転軸１５には、カバー素子２３を防護カバー１３に対して所望の調整位置で固定するための固定装置４１設ける。固定装置４１には、ばね素子４３として皿ばねを設け、この皿ばねは、プーリ１２の回転軸１５にねじ止めした固定ナット４２とカバー素子２３の外側面との間に配置する。固定装置４１に張力付与すると、ばね素子４３はカバー素子２３に対して摩擦作用を持ち、このカバー素子２３を所望の調整位置に固定する。固定装置４１は、張力付与した状態においてもプーリ１２が自由に回転できるように構成する。
【００２３】
各カバー素子２３は、プーリ１３の回転軸１５から離して設けた壁部分２５における、その鋸ワイヤ７側の遊端２６に、角丸め部２７を設ける。
【００２４】
なお、図４に、参考例として、カバー素子をリンク連結によって防護カバーに回動可能に取り付けたワイヤ鋸装置のプーリ装置５１を示す。プーリ装置５１にはプーリ５２を設け、このプーリ５２を、固定式の防護カバー５３および防護カバー５３に回動可能に取り付けたカバー素子６３により部分的に包囲する。カバー素子６３は、プーリ５２に直交する断面で見てＵ字状の形状とし、その脚部６４には、リンクを構成する、円弧状に延在する長孔７２を設け、この長孔７２は、例えば固定式の防護カバー５３に配置した、ねじの形式とした固定手段７３とリンク連結を構成する。このリンク連結は、カバー素子６３を、固定式の防護カバー５３またはプーリ５２の回転軸５５に対して容易に回動可能とし、また同時に、カバー素子６３のための固定装置８１を構成する。
【実施例２】
【００２５】
図５に示す、本発明第２実施例において、ワイヤ鋸装置のプーリ装置９１にはプーリ９２を設け、このプーリ９２を、固定式の防護カバー９３および、この防護カバー９３に回動可能に取り付けた２個のカバー素子１０２，１０３により部分的に包囲する。プーリ９２の回転軸９５から、半径方向に離して設けたカバー素子１０３の壁部分１０５までの半径方向距離は、半径方向に離して設けたカバー素子１０２の壁部分１０８までの半径方向距離よりも大きく構成し、半径方向に離して設けたカバー素子１０２の壁部分１０８までの半径方向距離は、半径方向に離して設けた防護カバー９３の壁部分９８のまでの半径方向距離よりも大きく構成する。カバー素子１０２，１０３は、扇状に互いに摺動可能とし、拡開することができる。
【図面の簡単な説明】
【００２６】
【図１】本発明第１実施例におけるワイヤ鋸装置のプーリ装置の側面図である。
【図２】図１に示す本発明プーリ装置のII −II線上の平面図である。
【図３】図１に示す本発明プーリ装置のIII−III線上の縦断面図である。
【図４】参考例におけるプーリ装置の側面図である。
【図５】本発明の第２実施例におけるプーリ装置の側面図である。
【符号の説明】
【００２７】
６  支持素子
７  鋸ワイヤ
１１  プーリ装置
１２  プーリ
１３  防護カバー
１４  脚部
１５  回転軸
１６  固定装置
１７  固定装置
１８  壁部分
２３  カバー素子
２６  遊端
２７  角丸め部
３２  長孔
４１  固定装置
４２  固定ナット
４３  ばね素子
５１  プーリ装置
５２  プーリ
５３  防護カバー
５５  回転軸
６３  カバー素子
７２  長孔
７３  固定手段
８１  固定装置
９１  プーリ装置
９２  プーリ
９３  防護カバー
９５  回転軸
９６  防護カバー
９８  壁部分
１０２  カバー素子
１０３  カバー素子
１０５  壁部分
１０８  壁部分
【図１】
0005416922.tif 000002
【図２】
0005416922.tif 000003
【図３】
0005416922.tif 000004
【図４】
0005416922.tif 000005
【図５】
0005416922.tif 000006